(57)【要約】【課題】中間コンクリート床版等のコンクリート層の施工作業を容易に行うことができると共に、外観に優れる軽量盛土構造体を構築することのできる施工方法を提供すること。【解決手段】発泡樹脂ブロックを積み上げて構造体を構築する際に、その構造体の外面側に表面材を添接させた発泡樹脂ブロックを表面材が外表面となるように積み上げるとともに、その高さ方向途中及び／又は上部にコンクリート床版を形成して成る軽量盛土構造体の施工方法であって、上記コンクリート床版６の下方に位置させる発泡樹脂ブロック４１の表面材６０を該発泡樹脂ブロック４１の上面よりも上方に突出したものとし、該突出した表面材の突出部と前記発泡樹脂ブロックで床版形成用型枠４０を形成し、該型枠にコンクリート９４を打設することにより上記コンクリート床版６を形成する軽量盛土構造体の施工方法とした。【選択図】図１４
2019094656.tif 000002
【特許請求の範囲】
【請求項１】
発泡樹脂ブロックを積み上げて構造体を構築する際に、その構造体の外面側に、表面材を添接させた発泡樹脂ブロックを表面材が外表面となるように積み上げるとともに、その高さ方向途中及び／又は上部にコンクリート床版を形成して成る軽量盛土構造体の施工方法であって、
上記コンクリート床版の下方に位置させる発泡樹脂ブロックの表面材を該発泡樹脂ブロックの上面よりも上方に突出したものとし、該突出した表面材の突出部と前記発泡樹脂ブロックで床版形成用型枠を形成し、該型枠にコンクリートを打設することにより上記コンクリート床版を形成することを特徴とする、軽量盛土構造体の施工方法。
【請求項２】
上記型枠へのコンクリートの打設を上記突出した表面材の上端よりも低い位置までとしてコンクリート床版を形成し、該形成されたコンクリート床版の上方に嵩上げ材を前記表面材の上端よりも高い位置まで敷設することを特徴とする、請求項１に記載の軽量盛土構造体の施工方法。
【請求項３】
上記型枠を構成する表面材の突出部内面側に背面板を添接することを特徴とする、請求項１又は２に記載の軽量盛土構造体の施工方法。
【請求項４】
上記背面板にアリ溝を形成し、上記表面材に凸条を形成し、前記アリ溝の形状に倣った形状を有し、当該アリ溝に嵌合される鉤部を有する嵌合部材を前記背面板のアリ溝に嵌挿させるとともに、前記表面材の凸条に前記鉤部を係合させることによって前記背面板と前記表面材を結合させるようにしたことを特徴とする、請求項３に記載の軽量盛土構造体の施工方法。
【請求項５】
上記嵌合部材にＬ型ピンを収容し、その一端を上記背面板を貫通して内方に突出させ、その突出させたＬ型ピンの一端に形成されるコンクリート床版を補強する鉄筋を保持させるようにしたことを特徴とする、請求項４に記載の軽量盛土構造体の施工方法。
【請求項６】
発泡樹脂ブロックを積み上げて構築される軽量盛土構造体の高さ方向途中及び／又は上部に形成するコンクリート床版を形成するための床版形成用型枠であって、
該床版形成用型枠が、発泡樹脂ブロックと、該発泡樹脂ブロックに添接されており発泡樹脂ブロックの上面よりも上方に突出している表面材の突出部とから構成されていることを特徴とする、床版形成用型枠。
【請求項７】
上記型枠を構成する表面材の突出部内面側に背面板が添接されていることを特徴とする、請求項６に記載の床版形成用型枠。
【請求項８】
上記背面板の外面にアリ溝が形成されており、上記表面材の内面側に凸条が形成されており、前記アリ溝の形状に倣った形状を有し、当該アリ溝に嵌合される鉤部を有する嵌合部材が前記背面板のアリ溝に嵌挿されているとともに、前記表面材の凸条に前記鉤部を係合させることによって前記背面板と前記表面材が結合されていることを特徴とする、請求項７に記載の床版形成用型枠。
【請求項９】
上記嵌合部材にＬ型ピンが収容されており、該Ｌ型ピンの一端が上記背面板を貫通して内方に突出していることを特徴とする、請求項８に記載の床版形成用型枠。
【発明の詳細な説明】
【技術分野】
【０００１】
本発明は、軽量盛土構造体の施工方法及び床版形成用型枠に関するものであり、詳しくは、軽量盛土構造体のコンクリート床版の施工方法及び該コンクリート床版を形成する床版形成用型枠に関するものである。
【背景技術】
【０００２】
近年、傾斜地の拡幅盛土や自立壁の盛土の工法として、盛土構造の軽量化や土圧軽減等を図るために、土を用いた盛土工法に代わり、発泡スチロールなどのブロック（以下、「発泡樹脂ブロック」という）を用いて道路などの土木構造物を構築する軽量盛土工法が採用されている（例えば、特許文献１参照）。この軽量盛土工法は、土を用いた盛土工法に比べて工期の短縮及びコスト削減を図ることができる。
【０００３】
このような軽量盛土工法では、発泡樹脂ブロックを積み上げて軽量盛土構造体を構築する。発泡樹脂ブロックを積み上げる工程では、荷重分布の均一化、不陸調整、浮力防止等のために、一般的に発泡樹脂ブロックを概ね３ｍの高さに積み上げたところで、その上に中間コンクリート床版と呼ばれるコンクリート層を施工する。その上に発泡樹脂ブロックを積み上げ、必要に応じて更に中間コンクリート床版を施工し、これを繰り返して最後に上部コンクリート床版とよばれるコンクリート層を施工し、その上面に道路等を構築する。
【０００４】
上記中間或いは上部コンクリート床版を施工する場合には、コンクリートを打設するために型枠を設置する必要がある。しかも、コンクリート床版の構築後においては設置した該型枠を撤去する必要もあり、また、これらの作業は高所で行わなければならないため、非常に手間がかかる。
【０００５】
また、軽量盛土構造体では、外面に位置する部位に金属板、合成樹脂系板、セメント系板等によって形成された表面材を添接させて成る表面材付き発泡樹脂ブロックを、表面材が外表面となるように積み上げて内部の発泡樹脂ブロックを保護しているが、上記中間コンクリート床版等のコンクリート層の外面はコンクリート面であり、発泡樹脂ブロックに添接された表面材とは外観が異なることから、意匠性においても改善の余地があった。
【先行技術文献】
【特許文献】
【０００６】
【特許文献１】特開２０１７−１１５４７２号公報
【発明の概要】
【発明が解決しようとする課題】
【０００７】
本発明は、上記のような背景技術が有する実情に鑑みて成されたもので、中間コンクリート床版等のコンクリート層の施工作業を容易に行うことができるとともに、外観に優れる軽量盛土構造体を構築することのできる施工方法及び床版形成用型枠を提供することを目的とする。
【課題を解決するための手段】
【０００８】
上記した目的を達成するため、本発明は、次の〔１〕〜〔９〕に記載の軽量盛土構造体の施工方法及び床版形成用型枠とした。
〔１〕発泡樹脂ブロックを積み上げて構造体を構築する際に、その構造体の外面側に、表面材を添接させた発泡樹脂ブロックを表面材が外表面となるように積み上げるとともに、その高さ方向途中及び／又は上部にコンクリート床版を形成して成る軽量盛土構造体の施工方法であって、上記コンクリート床版の下方に位置させる発泡樹脂ブロックの表面材を該発泡樹脂ブロックの上面よりも上方に突出したものとし、該突出した表面材の突出部と前記発泡樹脂ブロックで床版形成用型枠を形成し、該型枠にコンクリートを打設することにより上記コンクリート床版を形成することを特徴とする、軽量盛土構造体の施工方法。
〔２〕上記型枠へのコンクリートの打設を上記突出した表面材の上端よりも低い位置までとしてコンクリート床版を形成し、該形成されたコンクリート床版の上方に嵩上げ材を前記表面材の上端よりも高い位置まで敷設することを特徴とする、上記〔１〕に記載の軽量盛土構造体の施工方法。
〔３〕上記型枠を構成する表面材の突出部内面側に背面板を添接することを特徴とする、上記〔１〕又は〔２〕に記載の軽量盛土構造体の施工方法。
〔４〕上記背面板にアリ溝を形成し、上記表面材に凸条を形成し、前記アリ溝の形状に倣った形状を有し、当該アリ溝に嵌合される鉤部を有する嵌合部材を前記背面板のアリ溝に嵌挿させるとともに、前記表面材の凸条に前記鉤部を係合させることによって前記背面板と前記表面材を結合させるようにしたことを特徴とする、上記〔３〕に記載の軽量盛土構造体の施工方法。
〔５〕上記嵌合部材にＬ型ピンを収容し、その一端を上記背面板を貫通して内方に突出させ、その突出させたＬ型ピンの一端に形成されるコンクリート床版を補強する鉄筋を保持させるようにしたことを特徴とする、上記〔４〕に記載の軽量盛土構造体の施工方法。
〔６〕発泡樹脂ブロックを積み上げて構築される軽量盛土構造体の高さ方向途中及び／又は上部に形成するコンクリート床版を形成するための床版形成用型枠であって、該床版形成用型枠が、発泡樹脂ブロックと、該発泡樹脂ブロックに添接されており発泡樹脂ブロックの上面よりも上方に突出している表面材の突出部とから構成されていることを特徴とする、床版形成用型枠。
〔７〕上記型枠を構成する表面材の突出部内面側に背面板が添接されていることを特徴とする、上記〔６〕に記載の床版形成用型枠。
〔８〕上記背面板の外面にアリ溝が形成されており、上記表面材の内面側に凸条が形成されており、前記アリ溝の形状に倣った形状を有し、当該アリ溝に嵌合される鉤部を有する嵌合部材が前記背面板のアリ溝に嵌挿されているとともに、前記表面材の凸条に前記鉤部を係合させることによって前記背面板と前記表面材が結合されていることを特徴とする、上記〔７〕に記載の床版形成用型枠。
〔９〕上記嵌合部材にＬ型ピンが収容されており、該Ｌ型ピンの一端が上記背面板を貫通して内方に突出していることを特徴とする、上記〔８〕に記載の床版形成用型枠。
【発明の効果】
【０００９】
上記した本発明によれば、コンクリート床版を形成するにあたり、その下方に設置される発泡樹脂ブロックの表面材を利用して型枠を構成するため、型枠を別に設置する必要、また撤去の必要もなく、したがって、作業手間が低減される。また、コンクリート床版の外面は、表面材によって覆われることになり、外観に優れる軽量盛土構造体を構築することができる。
【図面の簡単な説明】
【００１０】
【図１】本発明に係る軽量盛土構造体の施工方法によって構築された軽量盛土構造体の一例を示した概念的な斜視図である。
【図２】表面材付き発泡樹脂ブロックを示した斜視図である。
【図３】表面材付き発泡樹脂ブロックを示した分解斜視図である。
【図４】図３に示した表面材付き発泡樹脂ブロックの表面材と発泡樹脂ブロックとの結合部の構造を示した拡大図である。
【図５】地盤上に１段目の表面材付き発泡樹脂ブロックを敷設する作業を示した斜視図である。
【図６】１段目の表面材付き発泡樹脂ブロック上に２段目の表面材付き発泡樹脂ブロックを敷設する作業を示した斜視図である。
【図７】本発明に係る床版形成用型枠の一例を示した分解斜視図である。
【図８】図７における型枠を組み付けた状態を示した斜視図である。
【図９】図８に示した型枠の断面図であって、（ａ）は図８におけるＸ−Ｘ線、（ｂ）は図８におけるＹ−Ｙ線に沿う部分の断面図である。
【図１０】ガイドロッドによる連結構造の一例を示した模式図である。
【図１１】床版形成用型枠のシール状況を示した斜視図である。
【図１２】床版形成用型枠の配筋を示した斜視図である。
【図１３】床版形成用型枠にコンクリートを打設した状態を示した斜視図である。
【図１４】形成されたコンクリート床版上に嵩上げ材を敷設した状態を示した斜視図である。
【発明を実施するための形態】
【００１１】
以下、本発明に係る軽量盛土構造体の施工方法及び床版形成用型枠の実施形態を、図面を参照しながら詳細に説明する。
【００１２】
図１に示した軽量盛土構造体１は、傾斜地拡幅構造体であって、地山２の傾斜面に沿って透水材及び排水材等の排水層３を添設し、その上に間詰め材４を介して発泡樹脂ブロック構造体５を積層させている。この発泡樹脂ブロック構造体５では、最下段にコンクリート床版６ａが敷設され、中段に中間コンクリート床版６ｂが敷設され、最上段に上部コンクリート床版６ｃが敷設されている。そして、上部コンクリート床版６ｃの上面に、コンクリート層、砂利、アスファルト等によって構成された路盤７が形成されている。
【００１３】
このように構成された発泡樹脂ブロック構造体５の側壁８では、内部の発泡樹脂ブロック９を保護するために表面材付き発泡樹脂ブロック１０が側壁８の構築部位に使用される。
【００１４】
表面材付き発泡樹脂ブロック１０は、図２に示すように、直方体の発泡樹脂ブロック１１の一つの表面に、金属板、合成樹脂系板、セメント系板等によって形成された表面材１２を、該表面材１２の周縁を前記発泡樹脂ブロック１１の周面よりも僅かに内方に位置させて添接され、発泡樹脂ブロック１１のクリープ圧縮歪を吸収するための隙間１３を周縁に有するものに形成されている。
【００１５】
発泡樹脂ブロック１１は、ポリスチレン、ポリエチレン、ポリプロピレン、ポリウレタン、ポリ塩化ビニル等を発泡させたものを用いることができ、中でも、安価であり、低密度でも強度が高いという観点からポリスチレンが好ましく用いられる。
【００１６】
発泡樹脂ブロック１１は、通常、０．０１〜０．０５ｇ／ｃｍ3程度の密度を有するものが好ましく用いられる。また、発泡樹脂ブロック１１の大きさとしては、特に限定されないが、例えば、長さ５０〜２００ｃｍ 、幅５０〜１５０ｃｍ、高さ２０〜１００ｃｍ程度のものが施工性の観点等から好ましく、図示した実施形態に係るものにあっては、長さ２００ｃｍ、幅１００ｃｍ、高さ５０ｃｍに形成されている。更に、発泡樹脂ブロック１１は、耐水性、強度等を考慮して、独立した気泡を有するものであることが好ましく、また、押出発泡してなる発泡樹脂ブロックであっても良く、発泡粒子成形体からなる発泡樹脂ブロックであっても良い。なお、内部に配置する発泡樹脂ブロック９においても、上記と同様の発泡樹脂ブロックを用いることができる。
【００１７】
表面材１２は、硬質な板状部材であれば特に限定されず、金属板、合成樹脂系板、セメント系板等の剛性に優れた材料を主成分として形成されている。また、表面材１２には、本発明の目的効果を阻害しない範囲において、可塑剤、紫外線吸収剤、着色剤、帯電防止剤、抗菌剤、難燃剤、フィラーなどの助剤が配合されていても良い。また、表面材１２の表面には、防水材、着色剤、親水材、撥水材、遮熱材等の塗装をしても良い。
【００１８】
表面材１２は、発泡樹脂ブロック１１の外面側よりも大きさを僅かに小さく形成し、発泡樹脂ブロックとの周縁に隙間１３を有するものに形成しておくことにより、表面材付き発泡体ブロックに圧縮クリープ変形が生じた際に、隣接する表面材付き発泡体ブロックの表面材同士が接触して割れ、欠けを生じることを抑制することができる。上記観点から、表面材１２の一辺あたりの長さは、発泡樹脂ブロック１１の外面側の一辺あたりの長さよりも０．５〜１０％短いことが好ましく、１〜５％短いことがより好ましい。また、表面材１２の厚さとしては、耐熱性、強度、軽量性等の観点から７〜４０ｍｍが好ましく、１０〜２５ｍｍがより好ましい。
【００１９】
発泡樹脂ブロック１１への表面材１２の取り付けは、接着剤を用いた接着、ボルト等の取付部材を用いた締着、アリ溝と該アリ溝に対応する凸条をそれぞれに形成することによる係合等の、公知の種々の方法を採用することができる。
【００２０】
例えば、図３に示したように、表面にアリ溝２０を形成した発泡樹脂ブロック１１と、前記アリ溝２０の形状に倣った形状を成し、該アリ溝２０に嵌合される嵌合部材２１と、前記発泡樹脂ブロックの前記アリ溝２０の内部に位置する凸条２２が形成された表面材１２とを備え、前記嵌合部材２１に鉤部２３が形成されており、前記凸条２２の前記鉤部２３に対応する位置に鉤部挿入用スリット２４が形成されており、前記嵌合部材の鉤部２３を前記表面材の凸条の鉤部挿入スリット２４に係合させることによって、前記表面材１２が前記発泡樹脂ブロック１１に取り付けられるものとしても良い。なお、図３において、２５，２６は上記アリ溝２０及び凸条２２にそれぞれ形成された位置決め用スリット、２７は前記位置決め用スリット２５，２６に挿入される位置決め板である。また、２８は上記凸条２２に形成されたガイドロッド挿通溝である。
【００２１】
上記構成の表面材付き発泡樹脂ブロック１０の組み付け方法としては、まず、位置決め板２７を発泡樹脂ブロック１１の位置決め用スリット２５に嵌入させる。次いで表面材１２の位置決め用スリット２６を位置決め板２７に嵌合させながら凸条２２を発泡樹脂ブロック１１のアリ溝２０に挿入させる。そして、嵌合部材２１を発泡樹脂ブロック１１のアリ溝２０と表面材１２の凸条２２との間に挿入しながら鉤部２３を凸条２２の鉤部挿入用スリット２４に嵌入させることにより、表面材付き発泡樹脂ブロック１０を形成することができる。
【００２２】
このようにして組み付けられた表面材付き発泡樹脂ブロック１０は、図４に示すように、嵌合部材２１の側面が発泡樹脂ブロック１１のアリ溝２０の側面によってアリ溝内に拘束され、その嵌合部材２１の鉤部２３が表面材１２の凸条２２の鉤部挿入スリット２４に係合して表面材１２が発泡樹脂ブロック１１に組み付けられる。また、凸条２２には上下の表面材付き発泡樹脂ブロックを連結するためのガイドロッドを挿通する溝２８を上記したように設けてもよく、該溝２８を設けた場合には、溝の開口が嵌合部材２１の底壁によって覆われ、そこにガイドロッド挿通孔２９を画成することができる。
【００２３】
上記表面材付き発泡樹脂ブロック１０は、図１に示すように、地山２の平坦部に打設されたコンクリート床版６ａ上に表面材１２を外方側に向けて敷設され、軽量盛土構造体１の側壁８が構築される。
【００２４】
表面材付き発泡樹脂ブロック１０を用いた軽量盛土構造体１の側壁８を構築する方法としては、例えば、まず図５に示したように、コンクリート床版６ａの打設とともに、鉄筋ガイドロッド３０を植設する。ガイドロッド３０の設置位置は、表面材付き発泡樹脂ブロック１０の端部側のガイドロッド挿通孔２９に対応する位置とする。次いで、それらのガイドロッド３０に表面材付き発泡樹脂ブロック１０のガイドロッド挿通孔２９を嵌合させて表面材付き発泡樹脂ブロック１０を設置する。そして、表面材付き発泡樹脂ブロック１０をコンクリート床版６ａ上に敷設したならば、内部に表面材が付けられていない発泡樹脂ブロック９を敷設する。
【００２５】
次いで、敷設した表面材付き発泡樹脂ブロック１０の中間に位置するガイドロッド挿通孔２９にガイドロッド３０を挿通させる。このようにして表面材付き発泡樹脂ブロック１０のガイドロッド挿通孔２９に挿通されたガイドロッド３０は、上記した位置決め板２７によって挿入深さが規制される。
【００２６】
次いで、図６に示すように、下段の表面材付き発泡樹脂ブロック１０に挿着させたガイドロッド３０に、その上段に敷設される表面材付き発泡樹脂ブロック１０のガイドロッド挿通孔２９を嵌合させて、上段の表面材付き発泡樹脂ブロック１０をオフセットさせた状態で敷設する。そして、表面材付き発泡樹脂ブロック１０を下段の表面材付き発泡樹脂ブロック１０上に敷設したならば、内方の地山２との間の内部に表面材が付けられていない発泡樹脂ブロック９を敷設する。
【００２７】
そして、表面材付き発泡樹脂ブロック１０及びその内部に表面材が付けられていない発泡樹脂ブロック９を敷設した複数段の発泡樹脂ブロック構造体５の上方に、次に詳述する方法で中間コンクリート床版６ｂを形成し、さらにその上に再度上記した手順で表面材付き発泡樹脂ブロック１０及び表面材が付けられていない発泡樹脂ブロック９を複数段敷設し、その上に上部コンクリート床版６ｃを形成する。上記において、ガイドロッド挿通孔２９、鉄筋ガイドロッド３０等により上下段の表面材付き発泡樹脂ブロックを連結した施工方法を示しているが、ガイドロッド挿通孔２９、鉄筋ガイドロッド３０を設けず、単に下段の表面材付き発泡樹脂ブロック１０に対して上段の表面材付き発泡樹脂ブロック１０をオフセットさせた状態で敷設して複数段の発泡樹脂ブロック構造体５を施工しても良い。
【００２８】
上記中間コンクリート床版６ｂ及び上部コンクリート床版６ｃ（以下、単に「床版６」という）は、次のようにして形成される。
【００２９】
本発明に係る施工方法においては、この床版６を形成するために床版形成用型枠４０を用いる。この床版形成用型枠４０は、特定の構造から成る表面材付き発泡樹脂ブロックであって、表面材６０、発泡樹脂ブロック４１を備えている。さらに、図７に示すように、該床版形成用型枠４０は、嵌合部材５０、位置決め板７０、背面板８０を備えていることが好ましい。
【００３０】
発泡樹脂ブロック４１は、上記発泡樹脂ブロック１１と同様に、ポリスチレン、ポリエチレン、ポリプロピレン、ポリウレタン、ポリ塩化ビニル等を発泡させたものを用いることができる。中でも、安価であり、低密度でも強度が大きいという観点からポリスチレンが好ましく用いられる。発泡樹脂ブロック４１は、０．０１〜０．０５ｇ／ｃｍ3程度の密度を有するものが好ましく用いられる。また、発泡樹脂ブロック４１の大きさとしては、上記発泡樹脂ブロック１１の厚み（高さ）の１／２の厚み（高さ）であることが好ましく、例えば、長さ５０〜２００ｃｍ 、幅５０〜１５０ｃｍ、高さ１０〜５０ｃｍ程度のものが施工性の観点等から好ましく、図示した実施形態に係るものにあっては、長さ２００ｃｍ、幅１００ｃｍ、高さ２５ｃｍに形成されている。更に、発泡樹脂ブロック４１は、耐水性、強度等を考慮して、独立した気泡を有するものであることが好ましく、また、押出発泡してなる発泡樹脂ブロックであっても良く、発泡粒子成形体からなる発泡樹脂ブロックであっても良い。
【００３１】
発泡樹脂ブロック４１への表面材６０の取り付けは、接着剤を用いた接着、ボルト等の取付部材を用いた締着、アリ溝と該アリ溝に対応する凸条をそれぞれに形成することによる係合等の、公知の種々の方法を採用することができるが、アリ溝と該アリ溝に対応する凸条をそれぞれに形成することにより係合されていることが好ましい。
【００３２】
上記の通り、発泡樹脂ブロック４１の外面側には、図７に示すようにアリ溝４２が形成されていることが好ましい。このアリ溝４２は、図示した実施形態においては発泡樹脂ブロック４１を設置した状態において上下方向に形成されているが、左右方向に形成しても良い。但し、アリ溝４２内に後述する鉄筋ガイドロッド３０を植設する場合には、アリ溝４２が上下方向に沿って形成されていることが好ましい。アリ溝４２が上下方向に沿って形成されている場合には、上記アリ溝４２を横切るように（発泡樹脂ブロック４１の幅方向に）して位置決め用スリット４３が形成されることが好ましく、該位置決め用スリット４３は、発泡樹脂ブロック４１の上下方向中間部に形成されることが特に好ましい。
【００３３】
アリ溝４２は、１つの発泡樹脂ブロック４１に対して２本以上形成されていることが好ましく、４本以上形成されていることがより好ましい。また、発泡樹脂ブロック４１の幅方向中央Ｃを基準として左右対称な位置に形成されることが好ましく、例えば、アリ溝４２を４本形成する場合には、２本が発泡樹脂ブロック４１の両側面Ｅから距離Ｌ１の位置、他の２本が発泡樹脂ブロック４１の幅方向中央Ｃから距離Ｌ１の位置にそれぞれ配置されていることが好ましい。
なお、アリ溝４２とは、開口から発泡樹脂ブロック４１の内方側に向かって幅が広く形成されているものであり、図示したような断面が台形のもののみならず、円形、或いはＴ字形のものであっても良い。そして、このようにアリ溝４２の形状を変更した場合には、該アリ溝４２に嵌合する後述する嵌合部材５０の断面形状も、それに倣って変更する。
【００３４】
嵌合部材５０は、発泡樹脂ブロック４１の上記アリ溝４２の形状に倣って形成されており、上記アリ溝４２に嵌合されている。嵌合部材５０としては、上記アリ溝４２の形状に倣った形状であればその形成方法は特に限定されないが、板状部材、例えば板金を上記アリ溝４２の形状に曲折させて形成したもの、上記アリ溝４２の形状に倣った形状をしたダイから溶融樹脂或いは溶融金属を押出して形成したものを挙げることができる。
【００３５】
嵌合部材５０は、金属、合成樹脂等によって形成され、特には、耐食性に優れ、加工性の良いガルバリウム鋼板（登録商標）、ステンレス板、溶融亜鉛メッキ板、溶融亜鉛-アルミニウム−マグネシウム合金メッキ鋼板等が好適に用いられる。嵌合部材５０の厚みは、強度と軽量性の兼ね合いから０．２〜５ｍｍであることが好ましく、０．３〜３ｍｍであることがより好ましい。
【００３６】
嵌合部材５０には、鉤部５１が形成されており、該鉤部５１と後述する表面材６０の凸条６１の鉤部に対応する位置に形成された鉤部挿入用スリット６４とを係合させることによって、表面材６０が発泡樹脂ブロック４１に組み付けられることが好ましい。鉤部５１の形状は、表面材６０側に形成された上記鉤部挿入用スリット６４と係合が可能であれば特に限定されないが、例えば直線形状、Ｌ字形状、及び釣針状に曲げた形状が挙げられる。また、鉤部５１を嵌合部材５０の両開口縁に形成した場合には、嵌合部材５０の側面は、アリ溝４２の側面よりも若干内方に傾斜した形状であることが好ましい。具体的には、アリ溝５２の断面が台形であり、嵌合部材５０の断面がそれに倣った台形のものである場合、アリ溝４２の底面と側面からなる角度よりも嵌合部材５０の底面と側面からなる角度の方が鋭角（概ね２〜２０°程度内方に鋭角）であることが好ましい。また、嵌合部材５０の下部底面には、下端が開口した切欠き５２が形成されている。
【００３７】
表面材６０は、上記発泡樹脂ブロック４１の高さのほぼ２倍の高さ（上記表面材１２と同様の大きさ）を有する板体であることが好ましく、硬質な板状部材であれば特に限定されず、上記表面材１２と同様に、金属板、合成樹脂系板、セメント系板等の剛性に優れた材料を主成分として形成されている。また、表面材６０には、本発明の目的効果を阻害しない範囲において、可塑剤、紫外線吸収剤、着色剤、帯電防止剤、抗菌剤、難燃剤、フィラーなどの助剤が配合されていても良い。また、表面材６０の表面には、防水材、着色剤、親水材、撥水材、遮熱材等の塗装をしても良い。表面材６０の厚さとしては、耐熱性、強度、軽量性等の観点から７〜４０ｍｍが好ましく、１０〜２５ｍｍがより好ましい。
【００３８】
表面材６０の背面には、図７に示すように、発泡樹脂ブロック４１の上記アリ溝４２に対応する位置に凸条６１が形成されていることが好ましい。該凸条６１の側面は、嵌合部材５０と係合可能であれば特に限定されないが、先細り形状であることが好ましい。また、表面材６０に形成されている凸条６１の先端面の幅は、発泡樹脂ブロック４１のアリ溝４２の開口幅よりも小さいことが好ましい。また、凸条６１は、上下方向に連続的に形成されていても良く、断続的に形成されていても良いが、発泡樹脂ブロック４１と表面材６０とを固定する強度の観点からは、上下方向に連続的に形成されていることが好ましい。凸条６１には、該凸条６１を横切るように位置決め用スリット６２が形成されていることが好ましい。また、凸条６１には、先端面にガイドロッド挿通溝６３が縦方向に延設され、側壁に上記鉤部５１と係合可能な鉤部挿入用スリット６４が縦方向に形成されていることが好ましい。
【００３９】
位置決め板７０は、上記嵌合部材５０と同様に、剛性に富み、耐食性に優れたガルバリウム鋼板（登録商標）、ステンレス板、溶融亜鉛メッキ板、溶融亜鉛−アルミニウム−マグネシウム合金メッキ鋼板等によって形成されている。この位置決め板７０は、発泡樹脂ブロック４１の位置決め用スリット４３の厚み、奥行、幅に対応する寸法を有している。
【００４０】
床版形成用型枠４０において、図９（ｂ）に示すように、発泡樹脂ブロック４１の上方であり、かつ突出した表面材６０の内面側の位置に背面板８０を備えていることが好ましい。背面板８０は、上記発泡樹脂ブロック４１と同様に、ポリスチレン、ポリエチレン、ポリプロピレン、ポリウレタン、ポリ塩化ビニル等を発泡させたもので形成され、発泡樹脂ブロック４１と同じ材質であることが好ましい。上記背面板８０の大きさは、上記発泡樹脂ブロック４１に上記表面材６０を添接した状態において、発泡樹脂ブロック４１の上方に突出することとなる表面材６０の内面側を覆うに十分な大きさ（表面材６０の左右及び上方に５〜２０ｍｍ程度飛び出す大きさ）に形成されていることが好ましく、厚さは２０〜１００ｍｍが好ましく、３０〜７０ｍｍがより好ましい。また、該背面板８０を設ける場合には、図示したように上記発泡樹脂ブロック４１とは別体のものとして形成されていても良いが、例えば、直方体形状の発泡樹脂ブロックを側面視Ｌ字形状に切断等の手段により加工し、背面板８０と上記発泡樹脂ブロック４１とが一体となっているものに形成されていても良い。
【００４１】
発泡樹脂ブロック４１への背面材８０の取り付けは、接着剤を用いた接着、ボルト等の取付部材を用いた締着、アリ溝と該アリ溝に対応する凸条をそれぞれに形成することによる係合等の、公知の種々の方法を採用することができるが、アリ溝と該アリ溝に対応する凸条をそれぞれに形成することにより係合されていることが好ましい。
【００４２】
上記の通り、背面板８０には、図７に示すように外面側に高さ方向に延びるアリ溝８１が形成されていることが好ましい。このアリ溝８１が形成される場合には、それぞれ上記した発泡樹脂ブロック４１のアリ溝４２と合致する位置に形成されていることが好ましい。また、該アリ溝８１の底壁には、貫通穴８２を形成することができる。貫通穴８２が形成されている場合には、Ｌ型ピン９０の一端を貫通穴８２から貫通させることにより、背面板８０と表面材６０とを接着することなく係合させることができる。背面板８０と表面材６０とをＬ型ピン９０によって係合させた場合には、背面板８０と表面材６０とが接着することなく係合しているため、表面材付き発泡体ブロックに圧縮クリープ変形が生じた際に、背面板８０と表面材６０とが一緒に沈みこむことにより上下段の表面材付き発泡体ブロックの表面材同士が接触して割れ、欠けを生じることを効果的に抑制することができる。なお、該背面板８０は、必ずしも必要ではないが、表面材６０の内面側に添接することにより、ノロとよばれるセメントペーストの流出を効果的に防止することができる。
【００４３】
そして、床版形成用型枠４０は、例えば、次のようにして組み付けられる。
先ず、図７において、位置決め板７０を前面方向から発泡樹脂ブロック４１の位置決め用スリット４３に嵌入させる。次いで表面材６０の位置決め用スリット６２を前面方向から位置決め板７０に嵌合させながら凸条６１を発泡樹脂ブロック４１のアリ溝４２に挿入させる。そして、嵌合部材５０を下方向から発泡樹脂ブロック４１のアリ溝４２と表面材６０の凸条６１との間に挿入しながら鉤部５１を凸条６１の鉤部挿入用スリット６４に嵌入させる。これにより、表面材６０の下部が下方の嵌合部材５０を介して発泡樹脂ブロック４１に保持された状態となる。
【００４４】
次に、背面板８０の貫通穴８２にＬ型ピン９０の一端を挿通させ、その背面板８０のアリ溝８１に表面材６０の凸条６１に嵌合させ、次いで、嵌合部材５０を上方から背面板８０のアリ溝８１に挿嵌させ、該嵌合部材５０の鉤部５１を凸条６１の鉤部挿入用スリット６４に嵌入させる。これにより、図８に示すように、発泡樹脂ブロック４１、背面板８０、表面材６０が一体化される。次いで、パッキン９１を背面板８０のアリ溝８１の上端部に嵌め込む。これにより、図９（ａ）に示すように、Ｌ型ピン９０の上端はパッキン９１によって位置決めされ、Ｌ型ピン９０は表面材６０の凸条６１に形成されたガイドロッド挿通溝６３内に嵌合部材５０により遊嵌した状態で支持されることとなる。また、表面材６０の凸条６１のガイドロッド挿通溝６３の開口が嵌合部材５０の底壁によって覆われ、そこにガイドロッド挿通孔６５が画成される（図４参照）。その他の部分においては、図９（ｂ）に示すように、組み付けられた背面板８０が発泡樹脂ブロック４１の上面及び表面材６０に当接している。
【００４５】
このようにして組み付けられた床版形成用型枠４０は、図１０に模式的に示したように、ガイドロッド３０を使用し、前に積層した発泡樹脂ブロック構造体５の表面材付き発泡樹脂ブロック１０と同様に、連続した状態でその上に載置される。この状態は、図１１に示すように、床版形成用型枠４０が前に積層した発泡樹脂ブロック構造体５の上方に横並びに配置される。
【００４６】
次いで、横並びに配置された床版形成用型枠４０の境界、発泡樹脂ブロック４１と背面板８０との境界等に適宜テープ９２を貼付して間隙を封じ、Ｌ型ピン９０を利用する場合には、図１２に示すように背面板８０を貫通して内方に突出させた該Ｌ型ピン９０の一端に鉄筋９３を保持させることにより配設する。次に、図１３に示したように、上方に突出した表面材６０の上端と同じ位置又は表面材６０の上端よりも低い位置（背面板８０が表面材の内側に添接されている場合は、該背面板８０の上端と同じ位置又は表面材６０の上端より低い位置）までコンクリート９４を打設し、コンクリート床版６を形成する。形成するコンクリート床版６の厚さは、５０〜３００ｍｍが好ましく、８０〜２００ｍｍがより好ましい。
【００４７】
次に、図１４に示したように、形成されたコンクリート床版６の上方に嵩上げ材９５を前記表面材６０の上端よりも高い位置（表面材６０の上方に５〜２０ｍｍ程度飛び出す高さ、背面板８０が表面材の内側に添接されている場合は、該背面板８０と同一高さ）まで敷設する。嵩上げ材９５としては、上記発泡樹脂ブロック１１，４１或いは背面板８０と同様に、ポリスチレン、ポリエチレン、ポリプロピレン、ポリウレタン、ポリ塩化ビニル等を発泡させたもので形成することができ、背面板８０と同じ材質であることが好ましい。なお、該嵩上げ材９５は、必要に応じてコンクリート床版６上に敷設すれば良く、コンクリートを上方に突出した表面材６０の上端（背面板８０が表面材の内側に添接されている場合は、該背面板８０の上端）まで打設してコンクリート床版６を形成した場合には不要となるが、表面材６０の上端からコンクリートが漏れるおそれをより確実に防止する観点から、コンクリートを上方に突出した表面材６０の上端（背面板８０が表面材の内側に添接されている場合は、該背面板８０の上端）よりも低い位置まで打設した後、表面材６０の上端（背面板８０が表面材の内側に添接されている場合は、該背面板８０の上端）と同一高さとなるまで嵩上げ材９５をコンクリート床版６上に敷設することが好ましい。
【００４８】
上記した方法により、前に積層した発泡樹脂ブロック構造体５の上方にコンクリート床版６を構築することができ、床版形成用型枠４０として使用した上記特定の構造から成る表面材付き発泡樹脂ブロックは撤去することなくそのまま側壁８を構成する構築部材となる。構築されたコンクリート床版６の外面側は、そのまま残された床版形成用型枠４０に添接された表面材６０によって覆われることとなり、軽量盛土構造体１の側壁８からコンクリート床版が見えず、外観に優れる軽量盛土構造体１となる。この床版６の上方に更に発泡樹脂ブロック構造体５を構築する場合には、図１４に示したように、床版形成用型枠４０のガイドロッド挿通孔６５にガイドロッド３０を設置し、そのガイドロッド３０を利用して形成したコンクリート床版６の上方に先に記載したのと同様の方法で表面材付き発泡樹脂ブロック１０を積層するとともに、その内側に表面材が設けられていない発泡樹脂ブロック９を積層し、図１に示すような軽量盛土構造体１を構築する。
【００４９】
以上、本発明に係る軽量盛土構造体の施工方法及び床版形成用型枠を説明したが、本発明の技術的範囲は上記実施形態に記載の範囲には限定されないことは言うまでもない。上記実施形態に、多様な変更又は改良を加えることが可能であることが当業者に明らかである。また、その様な変更又は改良を加えた形態も本発明の技術的範囲に含まれ得ることが、特許請求の範囲の記載から明らかである。
【産業上の利用可能性】
【００５０】
本発明によれば、中間床版等のコンクリート層の施工作業を容易に行うことができるとともに、外観に優れる軽量盛土構造体を構築することができるので、軽量盛土構造体を構築する際に好適に利用することができるものである。
【符号の説明】
【００５１】
１    軽量盛土構造体
２    地山
３    排水層
４    間詰め材
５    発泡樹脂ブロック構造体
６，６ａ，６ｂ，６ｃ    コンクリート床版
７    路盤
８    側壁
９    発泡樹脂ブロック（表面材が付けられていない発泡樹脂ブロック）
１０    表面材付き発泡樹脂ブロック
１１    発泡樹脂ブロック
１２    表面材
１３    隙間
２０    アリ溝
２１    嵌合部材
２２    凸条
２３    鉤部
２４    鉤部挿入用スリット
２５，２６    位置決め用スリット
２７    位置決め板
２８    ガイドロッド挿通溝
２９    ガイドロッド挿通孔
３０    ガイドロッド
４０    床版形成用型枠
４１    発泡樹脂ブロック
４２    アリ溝
４３    位置決め用スリット
５０    嵌合部材
５１    鉤部
５２    切り欠き
６０    表面材
６１    凸条
６２    位置決め用スリット
６３    ガイドロッド挿通溝
６４    鉤部挿入用スリット
６５    ガイドロッド挿通孔
７０    位置決め板
８０    背面板
８１    アリ溝
８２    貫通孔
９０    Ｌ型ピン
９１    パッキン
９２    テープ
９３    鉄筋
９４    コンクリート
９５    嵩上げ材
【図１】
2019094656.tif 000003
【図２】
2019094656.tif 000004
【図３】
2019094656.tif 000005
【図４】
2019094656.tif 000006
【図５】
2019094656.tif 000007
【図６】
2019094656.tif 000008
【図７】
2019094656.tif 000009
【図８】
2019094656.tif 000010
【図９】
2019094656.tif 000011
【図１０】
2019094656.tif 000012
【図１１】
2019094656.tif 000013
【図１２】
2019094656.tif 000014
【図１３】
2019094656.tif 000015
【図１４】
2019094656.tif 000016